(57)【要約】【課題】省スペース化を図ることができる可搬型放射線画像形成装置を提供する。【解決手段】筐体７０に取付けられた表示部１２０に関連機器の動作条件を設定可能な画面を表示させると共に、当該画面に従い、表示部１２０の表示面上の少なくとも一方に設けられたタッチパネルを介して入力された関連機器の動作条件に応じて、関連機器の動作を通信手段を介して制御する。【選択図】図７
2010051741.tif 000002
【特許請求の範囲】
【請求項１】
被検体を透過して筐体の被照射面に照射された放射線を検出し、放射線量の分布を表す放射線画像のデータを出力する画像出力手段と、
前記画像出力手段から出力された放射線画像のデータを記憶する記憶手段と、
前記筐体に取付けられた表示手段と、
前記筐体及び前記表示手段の表示面上の少なくとも一方に設けられた入力手段と、
関連機器と通信を行う通信手段と、
前記表示手段に前記関連機器の動作条件を設定可能な画面を表示させると共に、前記画面に従い前記入力手段を介して入力された前記関連機器の動作条件に応じて、前記関連機器の動作を前記通信手段を介して制御する制御手段と、
を含む可搬型放射線画像形成装置。
【請求項２】
前記関連機器を、前記被検体を介して前記画像出力手段に対して放射線を照射する放射線発生装置とした
請求項１記載の可搬型放射線画像形成装置。
【請求項３】
前記表示手段を、前記筐体に表示面が前記筐体外に対して展開可能に取付けられ、かつ前記表示面を前記筐体に収納可能又は折り畳み可能とした
請求項１又は請求項２記載の可搬型放射線画像形成装置。
【請求項４】
前記制御手段は、前記表示手段に前記関連機器の動作条件の設定を変更する設定変更画面を表示させると共に、前記設定変更画面に従い前記入力手段を介して変更された前記関連機器の動作条件に応じて、前記関連機器の動作を前記通信手段を介して制御する
請求項１〜請求項３の何れか１項記載の可搬型放射線画像形成装置。
【請求項５】
前記制御手段は、前記表示手段に新規に放射線画像を撮影するために前記関連機器の動作条件の設定する新規設定画面を表示させると共に、前記新規設定画面に従い前記入力手段を介して設定された前記関連機器の動作条件に応じて、前記関連機器の動作を前記通信手段を介して制御する
請求項１〜請求項３の何れか１項記載の可搬型放射線画像形成装置。
【発明の詳細な説明】
【技術分野】
【０００１】
本発明は可搬型放射線画像形成装置に係り、特に、被検体を透過して筐体の被照射面に照射された放射線を検出し、照射放射線量の分布を表す放射線画像のデータを出力する画像出力手段を備えた可搬型放射線画像形成装置に関する。
【背景技術】
【０００２】
近年、ＴＦＴ(Thin Film Transistor)アクティブマトリクス基板上に放射線感応層を配置し、照射されたＸ線等の放射線を検出し、照射放射線量の分布を表す放射線画像のデータへ直接変換して出力するＦＰＤ(Flat Panel Detector)が実用化されており、このＦＰＤ等を内蔵し、ＦＰＤから出力される放射線画像データを記憶する可搬型放射線画像形成装置（以下、電子カセッテともいう）も実用化されている。電子カセッテは可搬性を有するのでストレッチャーやベッドに載せたまま患者を撮影できると共に、電子カセッテの位置を変更することで撮影部位の調整も容易であるため、動けない患者を撮影する場合にも柔軟に対処することができる。
【０００３】
最近、電子カセッテに、撮影した放射線画像をその場で確認可能な表示部を付加することが提案されており、例えば特許文献１には、患者を透過した放射線を検出する検出器を有する放射線検出用カセッテの背面側に、液晶パネル等の表示装置を配置した構成が開示されている。
【０００４】
また特許文献２には、撮影の際、必要な情報を外部から受信し、受信した情報を表示部に表示する技術が開示されている。
【特許文献１】特開２０００−２６２５０４号公報
【特許文献２】特開２００５−２１５３２０号公報
【発明の開示】
【発明が解決しようとする課題】
【０００５】
この電子カセッテは、制御用の制御装置（所謂、コンソール）と接続されている。このコンソールは、電子カセッテに対して放射線を照射する放射線発生装置などの関連機器にも接続されており、各関連機器を制御している。
【０００６】
ところで、医療機関では、他の医療機器も配置されるため、放射線画像の撮影を行う撮影システムは、省スペースであることが好ましい。特に、個人医院など小規模な医療機関では、スペースも限られるため、省スペースであることが望まれている。
【０００７】
しかしながら、コンソールを設けた場合、コンソールの設置するスペースが必要となる。
【０００８】
本発明は上記事実に鑑みてなされたものであり、省スペース化を図ることができる可搬型放射線画像形成装置を提供することを目的とする。
【課題を解決するための手段】
【０００９】
上記目的を達成するために請求項１記載の発明に係る可搬型放射線画像形成装置は、被検体を透過して筐体の被照射面に照射された放射線を検出し、放射線量の分布を表す放射線画像のデータを出力する画像出力手段と、前記画像出力手段から出力された放射線画像のデータを記憶する記憶手段と、前記筐体に取付けられた表示手段と、前記筐体及び前記表示手段の表示面上の少なくとも一方に設けられた入力手段と、関連機器と通信を行う通信手段と、前記表示手段に前記関連機器の動作条件を設定可能な画面を表示させると共に、前記画面に従い前記入力手段を介して入力された前記関連機器の動作条件に応じて、前記関連機器の動作を前記通信手段を介して制御する制御手段と、を含んでいる。
【００１０】
請求項１記載の発明によれば、画像出力手段により、被検体を透過して筐体の被照射面に照射された放射線を検出し、放射線量の分布を表す放射線画像のデータが出力され、記憶手段により、画像出力手段から出力された放射線画像のデータが記憶される。
【００１１】
また、本発明によれば、筐体に表示手段が取付けられると共に、筐体及び表示手段の表示面上の少なくとも一方に入力手段が設けられ、関連機器と通信を行う通信手段が設けられている。
【００１２】
そして、本発明によれば、制御手段により、表示手段に関連機器の動作条件を設定可能な画面を表示させると共に、当該画面に従い入力手段を介して入力された関連機器の動作条件に応じて、関連機器の動作が通信手段を介して制御される。
【００１３】
このように、請求項１記載の発明では、筐体に取付けられた表示手段に関連機器の動作条件を設定可能な画面を表示させると共に、当該画面に従い、筐体及び表示手段の表示面上の少なくとも一方に設けられた入力手段を介して入力された関連機器の動作条件に応じて、関連機器の動作を通信手段を介して制御するので、関連機器を制御する制御装置を別途設ける必要が無くなるため、省スペース化を図ることができる。
【００１４】
なお、本発明は、請求項２記載のように、前記関連機器を、前記被検体を介して前記画像出力手段に対して放射線を照射する放射線発生装置としてもよい。
【００１５】
また、本発明は、請求項３記載のように、前記表示手段を、前記筐体に表示面が前記筐体外に対して展開可能に取付けられ、かつ前記表示面を前記筐体に収納可能又は折り畳み可能とすることが好ましい。
【００１６】
また、請求項１〜請求項３記載の発明の前記制御手段は、請求項４記載のように、前記表示手段に前記関連機器の動作条件の設定を変更する設定変更画面を表示させると共に、前記設定変更画面に従い前記入力手段を介して変更された前記関連機器の動作条件に応じて、前記関連機器の動作を前記通信手段を介して制御してもよい。
【００１７】
また、請求項１〜請求項３記載の発明の前記制御手段は、請求項５記載のように、前記表示手段に新規に放射線画像を撮影するために前記関連機器の動作条件の設定する新規設定画面を表示させると共に、前記新規設定画面に従い前記入力手段を介して設定された前記関連機器の動作条件に応じて、前記関連機器の動作を前記通信手段を介して制御してもよい。
【発明の効果】
【００１８】
以上説明したように本発明は、省スペース化を図ることができる、という優れた効果を有する。
【発明を実施するための最良の形態】
【００１９】
以下、図面を参照して本発明の実施形態の一例を詳細に説明する。
【００２０】
〔第１実施形態〕
図１には本実施形態に係る放射線情報システム１０(以下、「ＲＩＳ１０」(ＲＩＳ：(Radiology Information System)という)が示されている。ＲＩＳ１０は病院内の放射線科部門における診療予約や診断記録等の情報管理を行うためのシステムであり、複数台の端末装置１２、ＲＩＳサーバ１４、病院内の個々の放射線撮影室（或いは手術室）に設置された放射線画像撮影システム１８が、有線又は無線のＬＡＮ(Local Area Network)から成る病院内ネットワーク１６に各々接続されて構成されている。なお、ＲＩＳ１０は同じ病院内に設けられた病院情報システム(ＨＩＳ：Hospital Information System)の一部を構成しており、病院内ネットワーク１６にはＨＩＳ全体を管理するＨＩＳサーバ（図示省略）も接続されている。
【００２１】
個々の端末装置１２はパーソナル・コンピュータ(ＰＣ)等で構成され、医師や放射線技師によって操作される。医師や放射線技師は端末装置１２を介して診断情報や施設予約の入力・閲覧を行い、放射線画像の撮影依頼（撮影予約）も端末装置１２を介して入力される。また、ＲＩＳサーバ１４はＲＩＳデータベース（ＤＢ）を記憶する記憶部１４Ａを含んで構成されたコンピュータであり、ＲＩＳデータベースには、患者の属性情報（例えば患者の氏名、性別、生年月日、年齢、血液型、患者ＩＤ等）や、病歴、受診歴、過去に撮影した放射線画像のデータ等の患者に関する他の情報、個々の放射線画像撮影システム１８の電子カセッテ２２（後述）に関する情報（例えば識別番号、型式、サイズ、感度、使用可能な撮影部位（対応可能な撮影依頼の内容）、使用開始年月日、使用回数等）が登録されている。ＲＩＳサーバ１４はＲＩＳデータベースに登録されている情報に基づいて、ＲＩＳ１０全体を管理する処理（例えば各端末装置１２からの撮影依頼を受け付け、個々の放射線画像撮影システム１８における放射線画像の撮影スケジュールを管理する処理）を行う。
【００２２】
個々の放射線画像撮影システム１８は、ＲＩＳサーバ１４から指示された放射線画像の撮影を、医師や放射線技師の操作に従って行うシステムであり、患者（被検体）に照射する放射線を発生させる放射線発生装置２０、患者を透過した放射線を検出し放射線画像データに変換・出力する放射線検出器を内蔵した電子カセッテ２２、電子カセッテ２２に内蔵されるバッテリ１１６（図２参照）を充電するクレードル２４、を各々備えている。図２に示すように、放射線画像撮影システム１８には無線ネットワーク２８が設けられており、同一の放射線画像撮影システム１８を構成する放射線発生装置２０、及び電子カセッテ２２は、無線ネットワーク２８経由での無線通信により各種の信号や情報の送受を行う。本実施形態に係る放射線画像撮影システム１８では、電子カセッテ２２が無線通信により放射線発生装置２０及びクレードル２４の動作を制御している。なお、電子カセッテ２２は本発明に係る可搬型放射線画像形成装置に対応している。
【００２３】
放射線発生装置２０は、放射線管を内蔵し当該放射線管によって放射線を発生する放射線源３０を備え、放射線源３０は線源制御部３２に接続され、線源制御部３２には曝射スイッチ３４、無線通信部３６及び線源移動部３８が各々接続されている。曝射スイッチ３４は放射線撮影の実行時に撮影者（放射線技師）によって押圧操作される。また、無線通信部３６には無線アンテナ４０が接続されており、無線通信部３６は無線アンテナ４０を介し、同一の放射線画像撮影システム１８を構成する他の機器と無線ネットワーク２８経由で無線通信を行う。
【００２４】
放射線発生装置２０は、放射線撮影を行う際に、これから行う放射線撮影における撮影条件を表す撮影条件情報を電子カセッテ２２から受信する。受信した撮影条件情報は無線通信部３６から線源制御部３２へ入力される。電子カセッテ２２から受信する撮影条件情報には、放射線管の管電圧や管電流、照射時間等の放射線管の駆動条件を表す情報が含まれており、線源制御部３２は、曝射スイッチ３４が押圧操作されると、放射線源３０の放射線管が上記の駆動条件に従って駆動されるように放射線源３０を制御する。これにより、放射線源３０からは上記の駆動条件に応じた適正線量の放射線が発生・射出される。
【００２５】
また図３に示すように、放射線源３０が配置される放射線撮影室４２には、立位での放射線撮影を行う際に電子カセッテ２２を保持するためのラック４４と、臥位での放射線撮影を行う際に患者が横臥するためのベッド４６が設置されており、ラック４４の前方空間は立位での放射線撮影を行う際の患者の撮影位置４８とされ、ベッド４６の上方空間は臥位での放射線撮影を行う際の患者の撮影位置５０とされている。放射線撮影室４２には、単一の放射線源３０からの放射線によって立位での放射線撮影も臥位での放射線撮影も可能とするために、放射線源３０を、水平な軸回り（図３の矢印Ａ方向）に回動可能で、鉛直方向（図３の矢印Ｂ方向）に移動可能で、かつ水平方向（図３の矢印Ｃ方向）に移動可能に支持する支持移動機構５２が設けられている。
【００２６】
線源移動部３８は、放射線源３０を水平な軸回りに回動させる駆動源と、放射線源３０を鉛直方向に移動させる駆動源と、放射線源３０を水平方向に移動させる駆動源を各々備えている（何れも図示省略）。一方、電子カセッテ２２から受信する撮影条件情報には撮影時姿勢が立位か臥位かを表す情報が含まれており、線源制御部３２は、受信した撮影条件情報で指定された撮影時姿勢が立位であれば、放射線源３０が立位撮影用の位置５４（射出した放射線が撮影位置４８に位置している患者に側方から照射される位置）に位置するように線源移動部３８を制御し、受信した撮影条件情報で指定された撮影時姿勢が臥位であれば、放射線源３０が臥位撮影用の位置５６（射出した放射線が撮影位置５０に位置している患者に上方から照射される位置）に位置するように線源移動部３８を制御する。
【００２７】
なお電子カセッテ２２は、放射線技師により、撮影時姿勢が立位であればラック４４に保持される位置５８へ移動・位置決めされ、撮影時姿勢が臥位であればベッド４６上の位置６０へ移動・位置決めされる。なお、電子カセッテ２２の詳細については後述する。
【００２８】
図２に示すように、クレードル２４はクレードル２４全体の動作を制御するクレードル制御部６２を備えており、クレードル制御部６２には電力供給部６３及び無線通信部６４が各々接続されている。図３に示すように、クレードル２４の筐体は電子カセッテ２２を挿入可能な凹部が設けられた形状とされ、電力供給部６３は、クレードル２４の筐体の凹部に電子カセッテ２２が挿入されている状態で、電子カセッテ２２のバッテリ１１６に電力を供給することでバッテリ１１６を充電する。また、無線通信部６４には無線アンテナ６５が接続されており、無線通信部６４は無線アンテナ６５を介し、同一の放射線画像撮影システム１８を構成する他の機器と無線ネットワーク２８経由で無線通信を行う。
【００２９】
続いて本第１実施形態に係る電子カセッテ２２について説明する。図４に示すように、電子カセッテ２２は、放射線（図４では放射線に"Ｘ"の符号を付して示す）を透過させる材料から成り厚みを有する平板状(扁平な箱形状)の筐体(ケーシング)７０によって覆われており、筐体７０の内部には、筐体７０のうち放射線が照射される被照射面７２側から順に、被検体を透過することに伴って生ずる放射線の散乱線を除去するグリッド７４、放射線を検出する放射線検出器(放射線検出パネル)７６、及び、鉛シート７８が配設されている。また本第１実施形態に係る電子カセッテ２２はグリッド７４を相対的に振動させる不図示の振動機構（所謂、ブッキー）を備えており、グリッドを振動させながら撮影を行うことが可能とされている。なお、筐体７０の被照射面７２をグリッド７４で構成してもよい。また、筐体７０の内部の一端側には、後述する各種回路を収容するケース８２が配置されている。ケース８２内部に収容された各種回路が放射線の照射に伴って損傷することを回避するため、ケース８２の被照射面７２側には鉛シート等を配設しておくことが望ましい。なお、放射線検出器７６は後述する信号処理部１０２と共に本発明に係る画像出力手段に対応している。
【００３０】
また、本第１実施形態に係る電子カセッテ２２の筐体７０内には、被照射面７２側から見て鉛シート７８の背面側に、画像等を表示可能な表示デバイスを備えた表示部１２０を収納するための収納スペース（以下、この収納スペースを収納部１２２(図５(Ｂ)参照)と称する）が設けられている。図５,６に示すように、本第１実施形態に係る表示部１２０は、全体として厚みを有する長方形状とされており、収納部１２２は表示部１２０全体を収納可能な形状・大きさとされている。表示部１２０は、長方形状で対向する２面のうちの一方の面が、表示デバイスによって画像等を表示可能な表示領域が設けられた表示面とされており、被照射面７２側が上方を向くように電子カセッテ２２の筐体７０が配置された状態で、表示面が上方を向く向きで収納部１２２内に収納されている。なお、本第１実施形態では、表示面に設けられた表示領域の形状が長方形状であるので、上記の表示デバイスとしてはＬＣＤが好適であるが、ＬＣＤ以外の表示デバイスを用いてもよい。
【００３１】
また、図５,６に示すように、電子カセッテ２２の筐体７０のうち、被照射面７２と接する側面には、電子カセッテ２２（筐体７０）を移動させる際に把持するための取っ手部１２４が取付けられており、筐体７０のうち取っ手部１２４が取付けられている特定の側面には、表示部１２０が通過可能な扁平な矩形状の開口１２６が設けられている。収納部１２２はこの開口を介して筐体７０外と連通しており、表示部１２０は収納部１２２内をに挿入されている。表示部１２０は、表示部１２０を筐体７０の収納部１２２内から引き出す方向（図６の矢印Ｄ方向）へスライド移動(摺動移動)させる展開操作が行われることで、筐体７０外のうち取っ手部が設けられている側へ表示面が展開し、表示部１２０の大部分が筐体７０外に露出している状態(図６(Ｃ)に示す状態)となる。以下、この状態での表示部１２０の位置を表示可能位置という。また表示部１２０は、表示可能位置に位置している状態から、表示部１２０を筐体７０の収納部１２２内へ挿入する方向（図６の矢印Ｅ方向）へスライド移動させる収納操作が行われることで、表示部１２０全体が収納部１２２内に収納されている状態(図５(Ａ),図６(Ａ)に示す状態)となる。以下、この状態での表示部１２０の位置を収納位置という。
【００３２】
また、表示部１２０全体が収納部１２２内に収納されている状態(図５(Ａ),図６(Ａ)に示す状態)で開口１２６を閉塞する表示部１２０の側面には、一対の把持部１２８が取付けられており、表示部１２０は、一対の把持部１２８を把持した撮影者（放射線技師）によって前述の収納操作又は展開操作が行われることで、上記の収納位置又は表示可能位置へスライド移動される。なお、表示部１２０のうち把持部１２８が取付けられている側と反対側の端部付近には、収納部１２２から引き出す方向への表示部１２０のスライド移動を表示可能位置迄に制限する図示しないストッパが取付けられている。このストッパにより、表示部１２０全体が収納部１２２から離脱する（表示部１２０が電子カセッテ２２の筐体７０と分離する）ことが阻止される。このように、表示部１２０は表示面の収納が可能に筐体７０に取付けられている。
【００３３】
また図５に示すように、表示部１２０の背面（被照射面７２側と反対側の面）には鉛シート１３０が貼付されている。鉛シート７８によって放射線のバック散乱を吸収低減することができ、更に、収納部１２２に収納されている状態の表示部１２０の放射線劣化も抑制することができる。鉛シート１３０は鉛シート７８による放射線のバック散乱の吸収低減を補助する目的で設けられており、鉛シート７８としては例えば鉛の厚みが0.5mm以上の鉛シート、鉛シート１３０としては例えば鉛の厚みが0.2mm程度の鉛シートが好適である。なお、表示部１２０は本発明に係る表示手段に対応している。
【００３４】
電子カセッテ２２の放射線検出器７６は、図２に示すＴＦＴアクティブマトリクス基板８６上に、放射線を吸収して電荷に変換する光電変換層が積層されて構成されている。光電変換層は例えばセレンを主成分（例えば含有率５０％以上）とする非晶質のａ−Ｓｅ（アモルファスセレン）から成り、放射線が照射されると、照射された放射線量に応じた電荷量の電荷（電子−正孔の対）を内部で発生することで、照射された放射線を電荷へ変換する。なお、放射線検出器７６は、上記のようにアモルファスセレン等の放射線−電荷変換材料を用いて放射線を電荷へ直接変換する構成に限られるものではなく、ガドリニウム硫酸化物(ＧＯＳ)やヨウ化セシウム(ＣｓＩ)等の蛍光体材料によって放射線−光変換を行い、フォトダイオード等の光電変換素子によって光−電荷変換を行うことで、放射線を間接的に電荷へ変換する構成を採用してもよい。
【００３５】
ＴＦＴアクティブマトリクス基板８６上には、光電変換層で発生された電荷を蓄積する蓄積容量８８と、蓄積容量８８に蓄積された電荷を読み出すためのＴＦＴ９０を備えた画素部９４（図２では個々の画素部９４に対応する光電変換層を光電変換部９２として模式的に示している）がマトリクス状に多数個配置されており、電子カセッテ２２への放射線の照射に伴って光電変換層で発生された電荷は、個々の画素部９４の蓄積容量８８に蓄積される。これにより、電子カセッテ２２に照射された放射線に担持されていた画像情報は電荷情報へ変換されて放射線検出器７６に保持される。
【００３６】
また、ＴＦＴアクティブマトリクス基板８６には、一定方向（行方向）に延設され個々の画素部９４のＴＦＴ９０をオンオフさせるための複数本のゲート配線９６と、ゲート配線９６と直交する方向（列方向）に延設されオンされたＴＦＴ９０を介して蓄積容量８８から蓄積電荷を読み出すための複数本のデータ配線９８が設けられている。個々のゲート配線９６はゲート線ドライバ１００に接続されており、個々のデータ配線９８は信号処理部１０２に接続されている。個々の画素部９４の蓄積容量８８に電荷が蓄積されると、個々の画素部９４のＴＦＴ９０は、ゲート線ドライバ１００からゲート配線９６を介して供給される信号により行単位で順にオンされ、ＴＦＴ９０がオンされた画素部９４の蓄積容量８８に蓄積されている電荷は、電荷信号としてデータ配線９８を伝送されて信号処理部１０２に入力される。従って、個々の画素部９４の蓄積容量８８に蓄積されている電荷は行単位で順に読み出される。
【００３７】
図示は省略するが、信号処理部１０２は、個々のデータ配線９８毎に設けられた増幅器及びサンプルホールド回路を備えており、個々のデータ配線９８を伝送された電荷信号は増幅器で増幅された後にサンプルホールド回路に保持される。また、サンプルホールド回路の出力側にはマルチプレクサ、Ａ／Ｄ変換器が順に接続されており、個々のサンプルホールド回路に保持された電荷信号はマルチプレクサに順に（シリアルに）入力され、Ａ／Ｄ変換器によってデジタルの画像データへ変換される。信号処理部１０２には画像メモリ１０４が接続されており、信号処理部１０２のＡ／Ｄ変換器から出力された画像データは画像メモリ１０４に順に記憶される。画像メモリ１０４は複数フレーム分の画像データを記憶可能な記憶容量を有しており、放射線画像の撮影が行われる毎に、撮影によって得られた画像データが画像メモリ１０４に順次記憶される。なお、画像メモリ１０４は本発明に係る記憶手段に対応している。
【００３８】
また、画像メモリ１０４にはカセッテ制御部１０６が接続されている。カセッテ制御部１０６はマイクロコンピュータ等から成り、ＣＰＵ１０６Ａ、ＲＯＭ及びＲＡＭを含むメモリ１０６Ｂ、ＨＤＤやフラッシュメモリ等から成る不揮発性の記憶部１０６Ｃを備えており、後述する情報表示処理を行うための情報表示プログラムは記憶部１０６Ｃに記憶されている。また、図示は省略するが、カセッテ制御部１０６は前述したゲート線ドライバ１００及び信号処理部１０２に接続されており、ゲート線ドライバ１００及び信号処理部１０２による個々の画素部９４からの電荷の読み出しを制御する。更に、カセッテ制御部１０６には表示部１２０、入力部１０８、引出センサ１１０、無線通信部１１２が各々接続されている。なお、無線通信部１１２は本発明に係る通信手段に対応している。
【００３９】
カセッテ制御部１０６は表示部１２０に後述する操作画面を表示させ、画像メモリ１０４に記憶されている画像データが表す放射線画像等の各種情報を表示部１２０に表示させる。このように、カセッテ制御部１０６は本発明に係る制御手段に対応している。また、本実施形態において、入力部１０８は表示部１２０の表示面に設けられたタッチパネルから成り、撮影者によって入力部１０８（タッチパネル）が操作されることで、当該操作に応じた情報がカセッテ制御部１０６に入力される。なお、入力部１０８は本発明に係る入力手段に対応している。また、引出センサ１１０は収納部１２２内から表示部１２０が引き出された引出量を検出するセンサである。本実施形態において、引出センサ１１０は収納部１２２内の表示部１２０がスライド移動する範囲に例えば均等な間隔で複数けられており、引出センサ１１０による検出結果はカセッテ制御部１０６に入力される。カセッテ制御部１０６は引出センサ１１０による検出結果に基づいて収納部１２２内から表示部１２０が引き出された引出量を検出する。また、無線通信部１１２には無線アンテナ１１４が接続されており、無線通信部１１２は無線アンテナ１１４を介し、同一の放射線画像撮影システム１８を構成する他の機器と無線ネットワーク２８経由で無線通信を行う。なお、無線通信部１１２による他の機器との無線通信は、電波による通常の無線通信に代えて、赤外線等を用いた光無線通信であってもよい。
【００４０】
また、電子カセッテ２２はバッテリ１１６を内蔵しており、上述した各種回路(ゲート線ドライバ１００、信号処理部１０２、画像メモリ１０４、カセッテ制御部１０６、表示部１２０、入力部１０８、無線通信部１１２等)は、バッテリ１１６から供給された電力によって作動する。なお、本実施形態では、バッテリ１１６として、クレードル２４の電力供給部６３から供給される電力によって充電される二次電池を用いているが、これに限られるものではなく、バッテリ１１６として一次電池を用いてもよいし、商用電源に常時接続され商用電源から供給された電力を整流、変圧して各種回路へ電力を供給する電源部をバッテリ１１６に代えて設けてもよい。
【００４１】
次に本第１実施形態の作用を説明する。
【００４２】
医師や放射線技師が端末装置１２を介して放射線画像の撮影を依頼する際には、撮影する患者を特定するための情報（例えば患者ＩＤ等）や撮影部位、撮影時姿勢等の情報が端末装置１２に入力される。なお、患者ＩＤが記録された患者タグが個々の患者に携帯（或いは装着）される場合、患者を特定するための情報の入力は、撮影する患者が携帯している患者タグに記録された患者ＩＤを、端末装置１２に接続された読取装置によって読み取ることによって成される。端末装置１２を介して成された放射線画像の撮影依頼は端末装置１２に入力された各情報と共にＲＩＳサーバ１４へ送信され、ＲＩＳサーバ１４で受け付けされる。
【００４３】
ＲＩＳサーバ１４は、端末装置１２から放射線画像の撮影依頼を受け付けると、既に登録されている個々の放射線画像撮影システム１８における放射線画像の撮影スケジュールを参照し、受け付けた撮影依頼に係る放射線画像の撮影を、何れの放射線画像撮影システム１８で行うかを選択すると共に、選択した放射線画像撮影システム１８で放射線画像の撮影を行う日時を決定する。そして、ＲＩＳサーバ１４は、ＲＩＳデータベースから患者の属性情報等の必要情報を読み出し、読み出した情報や決定した撮影日時等を端末装置１２から受信した情報に付加して撮影依頼情報として、選択した放射線画像撮影システム１８における放射線画像の撮影スケジュールとしてＲＩＳデータベースに記憶する。
【００４４】
電子カセッテ３２は、待機時、クレードル２４に収納され、内蔵されるバッテリに充電が行われ、放射線画像の撮影時、クレードル２４から取り出される。本実施形態の電子カセッテ３２は、クレードル２４から取り出されると電源がオンとなる。
【００４５】
電子カセッテ２２は、表示部１２０を筐体７０内の収納部１２２から引き出す方向へスライド移動させ、表示部１２０の表示面を筐体７０外へ展開させることにより、当該表示面に操作画面が表示される。電子カセッテ２２は、表示部１２０に表示された当該操作画面に対してタッチ操作されることにより各種設定が可能とされており、無線通信により放射線発生装置２０の動作を制御する。
【００４６】
このように、第１実施形態に係る電子カセッテ２２は、表示部１２０を筐体７０内の収納部１２２から引き出す方向へスライド移動させる展開操作を行うことで、表示部１２０の表示面を筐体７０外へ展開させることができるので、表示面を筐体７０外へ展開させる展開操作を容易に行うことができ、取扱性も良好である。また、前述の展開操作を行った場合、表示部１２０の表示面は、筐体７０のうち取っ手部１２４が設けられている側面の外側の空間へ展開されるが、電子カセッテ２２の移動や位置調整は取っ手部１２４を把持して行われるので、上記空間は通常、他の物体が存在しない空間であり、他の物体の干渉によって表示部１２０の表示面を展開させることが困難となることを防止することができる。
【００４７】
図７（Ａ）〜（Ｂ）には、第１実施形態に係る電子カセッテ２２の表示部１２０に表示される操作画面の一例が示されている。
【００４８】
本実施形態に係る電子カセッテ２２では、表示部１２０が引き出されたことが引出センサ１１０によって検出されると、これをトリガとして、カセッテ制御部１０６の制御により図７（Ａ）に示す操作画面２００が表示部１２０に表示される。
【００４９】
操作画面２００には、電源をオフを指定する電源ＯＦＦボタン２０２と、撮影依頼情報の送信を要求する撮影依頼受信ボタン２０４と、撮影を行う患者の情報を表示させる患者情報ボタン２０６と、撮影条件の設定を行う撮影条件設定ボタン２０８と、読み出し条件の設定を行う読出条件設定ボタン２１０と、グリッド７４を相対的に振動させる振動機構のオン、オフを指定するブッキーボタン２１２と、が設けられている。ブッキーボタン２１２には、振動機構がオフとされている場合、振動機構のオンを指定する「ブッキーＯＮ」が表示され、振動機構がオンとされている場合、振動機構のオフを指定する「ブッキーＯＦＦ」が表示される。
【００５０】
カセッテ制御部１０６は、電源ＯＦＦボタン２０２が指定されると、所定の終了処理後、電子カセッテ２２の電源オフし、撮影依頼受信ボタン２０４が指定されると、ＲＩＳサーバ１４へ撮影依頼情報の送信を要求する。また、カセッテ制御部１０６は、患者情報ボタン２０６が指定されると、図７（Ｂ）に示す患者情報画面２２０を表示部１２０に表示させ、撮影条件設定ボタン２０８が指定されると、図７（Ｃ）に示す撮影条件設定画面２３０を表示部１２０に表示させ、読出条件設定ボタン２１０が指定されると、図７（Ｄ）に示す読出条件設定画面２５０を表示部１２０に表示させる。
【００５１】
図７（Ｂ）に示す患者情報画面２２０には、放射線画像の撮影を行う患者の氏名や患者ＩＤ過去に撮影履歴が各々表示される表示領域２２２と、操作画面２００へ戻ることを指定する戻るボタン２２４と、が設けられている。
【００５２】
カセッテ制御部１０６は、戻るボタン２２４が指定されると、表示部１２０に図７（Ａ）に示す操作画面２００を表示させる。
【００５３】
図７（Ｃ）に示す撮影条件設定画面２３０には、撮影部位が表示される表示領域２３２と、撮影時姿勢を指定する姿勢指定コンボボックス２３４と、管電圧を指定する管電圧指定コンボボックス２３６と、管電流を指定する管電流指定コンボボックス２３８と、設定された撮影条件を有効に反映させることを指定するＯＫボタン２４０と、撮影条件の設定のキャンセルを指定するキャンセルボタン２４２と、が設けられている。
【００５４】
撮影条件設定画面２３０では、姿勢指定コンボボックス２３４に対してタッチ操作を行うことにより、撮影時姿勢を立位又は臥位に変更することが可能とされており、管電圧指定コンボボックス２３６に対してタッチ操作を行うことにより、撮影時の放射線発生装置２０から放射させる放射線の管電圧を変更可能とされ、管電流指定コンボボックス２３８に対してタッチ操作を行うことにより、撮影時の放射線発生装置２０から放射させる放射線の管電流を変更可能とされている。
【００５５】
カセッテ制御部１０６は、ＯＫボタン２４０が指定されると、姿勢指定コンボボックス２３４、管電圧指定コンボボックス２３６、及び管電流指定コンボボックス２３８にそれぞれ設定された条件を放射線撮影における撮影条件を表す撮影条件情報として放射線発生装置２０へ送信した後に、表示部１２０に図７（Ａ）に示す操作画面２００を表示させ、キャンセルボタン２４２が指定されると、放射線発生装置２０へ撮影条件情報を送信することなく、表示部１２０に図７（Ａ）に示す操作画面２００を表示させる。
【００５６】
図７（Ｄ）に示す読出条件設定画面２５０には、放射線検出器７６により検出される放射線画像の感度を指定する感度指定コンボボックス２５２と、放射線検出器７６からの電荷読み出しにおける同時読み出しライン数を指定するライン数指定コンボボックス２５４と、設定された撮影条件を有効に反映させることを指定するＯＫボタン２５６と、撮影条件の設定のキャンセルを指定するキャンセルボタン２５８と、が設けられている。
【００５７】
読出条件設定画面２５０では、感度指定コンボボックス２５２に対してタッチ操作を行うことにより、放射線検出器７６から取り出される電荷信号を増幅する増幅器のゲイン量を変更することが可能とされており、ライン数指定コンボボックス２５４に対してタッチ操作を行うことにより、放射線検出器７６から同時に読み出されるライン数を変更することが可能とされている。
【００５８】
カセッテ制御部１０６は、ＯＫボタン２５６が指定されると、感度指定コンボボックス２５２、に設定された条件に信号処理部１０２内の増幅器のゲイン量を変更すると共に、ライン数指定コンボボックス２５４に設定された値に同時読み出しライン数に変更した後に、表示部１２０に図７（Ａ）に示す操作画面２００を表示させ、キャンセルボタン２５８が指定されると、設定を変更することなく、表示部１２０に図７（Ａ）に示す操作画面２００を表示させる。
【００５９】
撮影者は、放射線画像の撮影を行う場合、電子カセッテ２２の表示部１２０に操作画面２００を表示させ、操作画面２００の撮影依頼受信ボタン２０４を指定してＲＩＳサーバ１４へ撮影依頼情報の送信を要求する。ＲＩＳサーバ１４は、撮影依頼情報の送信を要求されると、要求元の電子カセッテ２２が属する放射線画像撮影システム１８の撮影スケジュールとして記憶されている撮影依頼情報をＲＩＳデータベースから読み出し、読み出した撮影依頼情報を要求元の電子カセッテ２２へ送信する。
【００６０】
電子カセッテ２２は、ＲＩＳサーバ１４から上記情報を受信する毎に受信した情報を記憶部１０６Ｃに記憶し、また、これから行う放射線撮影における撮影条件を表す撮影条件情報を放射線発生装置２０へ送信する。これにより、放射線発生装置２０の線源制御部３２は、受信した撮影条件情報で指定された撮影時姿勢に応じた位置に放射線源３０が位置するように線源移動部３８を制御する。
【００６１】
撮影者は、記憶部１０６Ｃに記憶された放射線画像の撮影スケジュールや個々の撮影における具体的な撮影内容を確認する場合、表示部１２０に患者情報画面２２０や、撮影条件設定画面２３０、読出条件設定画面２５０を表示させる。この患者情報画面２２０や、撮影条件設定画面２３０、読出条件設定画面２５０には、受信した撮影依頼情報の内容（患者の患者ＩＤや氏名、撮影部位、撮影時姿勢、放射線管の管電圧、管電流等）が表示されるので、これから行おうとしている放射線画像の撮影の内容を把握することができる。
【００６２】
撮影者は、必要に応じてタッチ操作を行って撮影条件設定画面２３０に表示された撮影条件や読出条件設定画面２５０に表示された読出条件を変更する。
【００６３】
カセッテ制御部１０６は、撮影条件設定画面２３０で撮影条件が変更された場合、変更された撮影条件を放射線撮影における撮影条件を表す撮影条件情報として放射線発生装置２０へ送信する。また、カセッテ制御部１０６は、読出条件設定画面２５０で読出条件が変更された場合、増幅器のゲイン量や同時読み出しライン数を変更された読出条件に変更する。これにより、撮影者の指示によって修正された項目が管電圧、管電流等の放射線管の駆動条件に関する項目であれば、放射線源３０からの放射線の射出時に、修正後の内容に応じた駆動条件で放射線管が駆動され、撮影者の指示によって修正された項目が撮影時姿勢であれば、放射線源３０が修正後の撮影時姿勢に対応する位置へ移動するように、線源移動部３８による放射線源３０の移動が線源制御部３２によって制御される。
【００６４】
撮影者は、電子カセッテ２２で撮影部位や撮影時姿勢、放射線管の駆動条件等を確認した後に、放射線撮影室４２内において、撮影時姿勢に応じた位置（位置５８又は位置６０）へ電子カセッテ２２を移動・位置決めし、撮影を行う患者を撮影時姿勢に応じた位置（位置４８又は位置５０）に位置させ、必要に応じて放射線源３０の位置を微調整する等の一連の準備作業を行う。そして、一連の準備作業が完了すると曝射スイッチ３４をオンする。
【００６５】
これにより、放射線源３０からは、放射線発生装置２０が電子カセッテ２２から受信した撮影条件情報に含まれる放射線管の駆動条件に応じた線量の放射線が発生・射出され、放射線源３０から射出された放射線は患者を透過して電子カセッテ２２の被照射面７２に照射される。また電子カセッテ２２では、被照射面７２内の各部に照射された放射線が放射線検出器７６によって電荷に変換・蓄積された後に、ゲート線ドライバ１００及び信号処理部１０２によって蓄積された電荷が読み出され、放射線画像のデータへ変換されて画像メモリ１０４に記憶される。
【００６６】
また、画像メモリ１０４に記憶された放射線画像のデータは電子カセッテ２２から無線ネットワーク２８を経由してＲＩＳサーバ１４へ送信され、ＲＩＳサーバ１４のＲＩＳデータベースにも格納される。これにより、撮影された放射線画像を端末装置１２のディスプレイに表示させ、医師が放射線画像の読影や診断等を行うことが可能となる。
【００６７】
このように本実施形態によれば、電子カセッテ２２が放射線発生装置２０の制御を行うことにより、コンソールを別途設置する必要がなるため、省スペース化を図ることができる。
【００６８】
〔第２実施形態〕
次に本発明の第２実施形態について説明する。なお、以下では第１実施形態と同一の部分には同一の符号を付して説明を省略し、第１実施形態と異なる部分についてのみ説明する。
【００６９】
本実施の形態に係る電子カセッテ２２は、患者の属性情報も操作画面から登録することが可能とされており、ＲＩＳサーバ１４から撮影依頼情報を受信することなく、操作画面から患者の属性情報の登録を行って新規に放射線画像を撮影することが可能とされている。
【００７０】
図８（Ａ）〜（Ｂ）には、第２実施形態に係る電子カセッテ２２の表示部１２０に表示される操作画面の一例が示されている。
【００７１】
図８（Ａ）に示すように、第２実施形態に係る操作画面２００には、撮影依頼受信ボタン２０４が無くなっている。図８（Ｂ）に示す患者情報画面２２０には、放射線画像の撮影を行う患者の氏名を入力する氏名入力領域２２６と、患者ＩＤを入力する患者ＩＤ入力領域２２８と、ＯＫボタン２２９と、が設けられている。患者情報画面２２０は、例えば氏名入力領域２２６や患者ＩＤ入力領域２２８を指定した際に画面の下側にソフトウェアキーボード（図示なし）が表示され、当該ソフトウェアキーボードを用いることにより氏名入力領域２２６及び患者ＩＤ入力領域２２８に患者の氏名や患者ＩＤを入力することが可能とされている。
【００７２】
カセッテ制御部１０６は、ＯＫボタン２２９が指定されると、氏名入力領域２２６及び患者ＩＤ入力領域２２８に入力された情報を患者情報として記憶部１０６Ｃに記憶する。
【００７３】
また図８（Ｃ）に示すように、第２実施形態に係る撮影条件設定画面２３０には、表示領域２３２の代わりに、撮影部位を指定する撮影部位指定コンボボックス２３３が設けられている。この撮影部位指定コンボボックス２３３には胸部や腹部、腰部など放射線画像の撮影対象となる部位が登録されている。
【００７４】
撮影条件設定画面２３０では、撮影部位指定コンボボックス２３３に対してタッチ操作を行うことにより、撮影対象とする部位を変更することが可能とされている。
【００７５】
撮影者は、放射線画像の撮影を行う場合、電子カセッテ２２の表示部１２０に患者情報画面２２０を表示させて患者情報の登録を行うと共に、撮影条件設定画面２３０、読出条件設定画面２５０にタッチ操作を行って撮影条件や読出条件を設定する。
【００７６】
カセッテ制御部１０６は、撮影条件設定画面２３０で撮影条件が登録された場合、登録された撮影条件を放射線撮影における撮影条件を表す撮影条件情報として放射線発生装置２０へ送信する。
【００７７】
撮影者は、電子カセッテ２２で撮影部位や撮影時姿勢、放射線管の駆動条件等を登録した後に、放射線撮影室４２内において、撮影時姿勢に応じた位置（位置５８又は位置６０）へ電子カセッテ２２を移動・位置決めし、撮影を行う患者を撮影時姿勢に応じた位置（位置４８又は位置５０）に位置させ、必要に応じて放射線源３０の位置を微調整する等の一連の準備作業を行う。そして、一連の準備作業が完了すると曝射スイッチ３４をオンする。
【００７８】
これにより、放射線源３０から放射線が発生・射出され、電子カセッテ２２により放射線画像の撮影が行われる。
【００７９】
このように本実施形態によれば、ＲＩＳサーバ１４から撮影依頼情報を受信することなく、電子カセッテ２２で操作画面から患者の属性情報の登録を行って新規に放射線画像を撮影することができる。
【００８０】
なお、上記では放射線発生装置２０が立位及び臥位での放射線画像の撮影が可能な構成とした態様を説明したが、これに限られるものではなく、例えば、立位又は臥位の何れか一方での放射線画像の撮影が可能な構成としてもよい。この場合、撮影条件設定画面２３０は撮影時姿勢を表示のみの項目とすればよい。
【００８１】
また、上記では表示部を引き出して使用される態様を説明したが、これに限られるものではなく、例えば、表示部を筐体７０の被照射面７２の反対の裏面に設けてもよい。
【００８２】
また、上記では、撮影した放射線画像のデータを電子カセッテ２２から無線ネットワーク２８を経由してＲＩＳサーバ１４へ送信する態様を説明したが、これに限られるものではなく、電子カセッテ２２の表示部１２０に撮影した放射線画像を表示させるようにしてもよい。
【００８３】
また、上記では電子カセッテ２２の表示部１２０にタッチ操作を行うことにより操作指示を行う態様を説明したが、これに限られるものではなく、電子カセッテ２２の筐体７０にメカニカルなスイッチを複数設け、当該スイッチにより操作指示を行うものとしてもよい。
【００８４】
図９（Ａ）〜（Ｃ）及び図１０（Ａ）〜（Ｅ）には、電子カセッテ２２の筐体７０に入力部１０８として５個のメカニカルなスイッチ１０８Ａ〜１０８Ｅを設けた場合の電子カセッテ２２の表示部１２０に表示される操作画面の一例が示されている。
【００８５】
図９（Ａ）に示すように操作画面２００にはメカニカルなスイッチ１０８Ａ〜１０８Ｅの各々下部に各スイッチが対応する操作内容が表示される。操作画面２００は、スイッチの数に限りがあるため、複数画面に分かれており、例えばスイッチ１０８Ｅを選択すると、図９（Ｂ）に示す次の操作画面２００が表示される。また、例えば、患者情報を確認したい場合は、図９（Ａ）に示す操作画面２００でメカニカルなスイッチ１０８Ｃを選択すると、図９（Ｃ）に示す患者情報画面２２０が表示される。さらに、例えば、撮影条件の確認又は変更をしたい場合は、図９（Ａ）に示す操作画面２００でメカニカルなスイッチ１０８Ｄを選択すると、図１０（Ａ）に示す撮影条件設定画面２３０が表示される。撮影姿勢を変更する場合は、図１０（Ａ）に示す撮影条件設定画面２３０でメカニカルなスイッチ１０８Ａを選択すると、図１０（Ｂ）に示す撮影姿勢変更画面２３１Ａが表示され、スイッチ１０８Ａ又はスイッチ１０８Ｂを選択することにより撮影姿勢を立位又は臥位に変更することができる。また、管電圧を変更する場合は、図１０（Ａ）に示す撮影条件設定画面２３０でメカニカルなスイッチ１０８Ｂを選択すると、図１０（Ｃ）に示す管電圧変更画面２３１Ｂが表示され、スイッチ１０８Ａ又はスイッチ１０８Ｂを選択することにより管電圧を変更することができる。さらに、管電流を変更する場合は、図１０（Ａ）に示す撮影条件設定画面２３０でメカニカルなスイッチ１０８Ｃを選択すると、図１０（Ｄ）に示す管電流変更画面２３１Ｃが表示され、スイッチ１０８Ａ又はスイッチ１０８Ｂを選択することにより管電圧を変更することができる。
【図面の簡単な説明】
【００８６】
【図１】本実施形態に係る放射線情報システムの概略構成を示すブロック図である。
【図２】放射線画像撮影システムの概略構成を示すブロック図である。
【図３】撮影室内における放射線発生装置や電子カセッテの配置の一例を示す概略図である。
【図４】第１実施形態に係る電子カセッテの内部構造を示す斜視図である。
【図５】第１実施形態に係る電子カセッテの内部構造を示す側面図である。
【図６】第１実施形態に係る電子カセッテの表示部の収納・展開を示す斜視図である。
【００８７】
【図７】第１実施形態に係る電子カセッテの表示部に表示される操作画面の一例を示す図である。
【図８】第２実施形態に係る電子カセッテの表示部に表示される操作画面の一例を示す図である。
【図９】他の形態に係る電子カセッテの表示部に表示される操作画面の一例を示す図である。
【図１０】他の形態に係る電子カセッテの表示部に表示される操作画面の一例を示す図である。
【符号の説明】
【００８８】
１０  放射線情報システム
１８  放射線画像撮影システム
２０  放射線発生装置
２２  電子カセッテ
７０  筐体
７２  被照射面
７６  放射線検出器
１００  ゲート線ドライバ
１０２  信号処理部
１０４  画像メモリ
１０６  カセッテ制御部
１０８  入力部
１２０  表示部
【図１】
2010051741.tif 000003
【図２】
2010051741.tif 000004
【図３】
2010051741.tif 000005
【図４】
2010051741.tif 000006
【図５】
2010051741.tif 000007
【図６】
2010051741.tif 000008
【図７】
2010051741.tif 000009
【図８】
2010051741.tif 000010
【図９】
2010051741.tif 000011
【図１０】
2010051741.tif 000012